(57)【特許請求の範囲】
【請求項１】
互いに接する２つの壁面と天井面とのコーナー部分に、背面に少なくとも１個の突起部を有するキャビネットを固定するための固定具であって、
少なくとも一方の壁面に取り付けるための取付板と、キャビネットの背面を固定するための固定板とを備え、
該取付板と該固定板とは連結されており、
該固定板に、前記突起部の頭部が通る大きさの大径孔と、該大径孔の少なくとも上部に突起部の胴部が通りかつ頭部が抜けない幅のスリット孔とを有する少なくとも１個の貫通孔を設け、
キャビネットを天井面に接する高さまで持ち上げて固定する位置に合わせて前記突起部の胴部を係止するための少なくとも１個の切欠部を有する、１箇所を支点として回動可能なストッパーを、前記固定板に設けたことを特徴とするキャビネット固定具。
【請求項２】
互いに接する２つの壁面と天井面とのコーナー部分に、背面に少なくとも１個の突起部を有するキャビネットを固定するための固定具であって、
一方の壁面に取り付けるための取付板と、キャビネットの背面を固定するための固定板とを備え、
該取付板と該固定板とは連結されており、
該固定板に、突起部の頭部が通る大きさの大径孔と、該大径孔に対して上下対称に突起部の胴部が通りかつ頭部が抜けない幅のスリット孔とを有する少なくとも１個の貫通孔を設け、
キャビネットを天井面に接する高さまで持ち上げて固定する位置に合わせて前記突起部の胴部を係止するための切欠部と、キャビネットを持ち上げた距離と同じ長さだけ逆にキャビネットを下ろした上下対称な位置に他の切欠部を少なくとも１組有する、１箇所を支点として回動可能なストッパーを、前記固定板に設けたことを特徴とするキャビネット固定具。
【請求項３】
取付板にネジ挿通孔を設けて、キャビネット固定具をネジで壁面に固定する請求項１又は２記載のキャビネット固定具。
【請求項４】
ストッパーをキャビネットの背面と接する側に設けた請求項１、２、３のいずれかに記載のキャビネット固定具。
【請求項５】
キャビネット背面の突起部の胴部に台座を設けて、ストッパーをキャビネットの背面で押さえつけるようにした請求項４記載のキャビネット固定具。
【請求項６】
キャビネット固定具の材質として金属及びプラスチックのいずれかを用いた請求項１〜５のいずれかに記載のキャビネット固定具。
【発明の詳細な説明】
【０００１】
【発明の属する技術分野】
本発明は、互いに接する２つの壁面と天井面とのコーナー部分に、キャビネットを取付・固定するための固定具に関するものである。
【０００２】
【従来の技術】
図１２に示すように、スピーカキャビネット等のキャビネット１０を、互いに接する２つの壁面１２、１４と天井面１６とのコーナー部分に取付・固定したい場合がある。
この場合、従来は、図１３に示すような形状のキャビネット１０を、図１４に示すような金具１８を用いて固定していた。
【０００３】
詳述すると、従来は、図１４〜図１６に示すように、壁面１２、１４に取り付けられた金具１８の貫通孔２０に、キャビネット１０の背面に設けられた突起部２２を引っかけて固定していた。２４は取付板、２６は固定板、２８はネジである。
【０００４】
【発明が解決しようとする課題】
しかしながら、図１４に示すような金具１８では、貫通孔２０にキャビネット１０の突起部２２を嵌入した後、キャビネット１０を押し下げるか、又は重力によりキャビネット１０が落下することを利用して、突起部２２を貫通孔２０に引っかけて係止させる構造であるため、図１６に示すように、キャビネット１０が落下した距離である落下長さＬだけ、キャビネット１０と天井面１６との隙間があくことになり、外観上好ましくなかった。
【０００５】
本発明は上記の諸点に鑑みなされたもので、本発明の目的は、互いに接する２つの壁面と天井面とのコーナー部分にキャビネットを固定する際に、天井面及び壁面にキャビネットをぴったりとくっつけて固定することができるキャビネット固定具を提供することにある。
【０００６】
【課題を解決するための手段】
上記の目的を達成するために、本発明のキャビネット固定具は、互いに接する２つの壁面と天井面とのコーナー部分に、背面に少なくとも１個の突起部を有するキャビネットを固定するための固定具であって、少なくとも一方の壁面に取り付けるための取付板と、キャビネットの背面を固定するための固定板とを備え、該取付板と該固定板とは連結されており、該固定板に、前記突起部の頭部が通る大きさの大径孔と、該大径孔の少なくとも上部に突起部の胴部が通りかつ頭部が抜けない幅のスリット孔とを有する少なくとも１個の貫通孔を設け、キャビネットを天井面に接する高さまで持ち上げて固定する位置に合わせて前記突起部の胴部を係止するための少なくとも１個の切欠部を有する、１箇所を支点として回動可能なストッパーを、前記固定板に設けたことを特徴としている。
【０００７】
また、本発明のキャビネット固定具は、互いに接する２つの壁面と天井面とのコーナー部分に、背面に少なくとも１個の突起部を有するキャビネットを固定するための固定具であって、一方の壁面に取り付けるための取付板と、キャビネットの背面を固定するための固定板とを備え、該取付板と該固定板とは連結されており、該固定板に、突起部の頭部が通る大きさの大径孔と、該大径孔に対して上下対称に突起部の胴部が通りかつ頭部が抜けない幅のスリット孔とを有する少なくとも１個の貫通孔を設け、キャビネットを天井面に接する高さまで持ち上げて固定する位置に合わせて前記突起部の胴部を係止するための切欠部と、キャビネットを持ち上げた距離と同じ長さだけ逆にキャビネットを下ろした上下対称な位置に他の切欠部を少なくとも１組有する、１箇所を支点として回動可能なストッパーを、前記固定板に設けたことを特徴としている。
【０００８】
上記の本発明のキャビネット固定具において、取付板にネジ挿通孔を設けて、キャビネット固定具をネジで壁面に固定することができる。
また、上記の本発明のキャビネット固定具において、ストッパーをキャビネットの背面と接する側に設けることが望ましい。
これらのキャビネット固定具において、キャビネット背面の突起部の胴部に台座を設けて、ストッパーをキャビネットの背面で押さえつけるようにすることができる。
以上のキャビネット固定具においては、材質として金属又はプラスチックを用いることができる。
【０００９】
【発明の実施の形態】
図１は、本発明の第１の実施の形態によるキャビネット固定具を示している。図１において、３０は固定具であり、材質としては金属が用いられているが、他の材質、例えばプラスチック等を用いることも勿論可能である。固定具３０は、壁面１２又は壁面１４に取り付けるための取付板３２と、図２に示すキャビネット１０の背面を固定するための固定板３４とからなっている。取付板３２にはネジ挿通孔３６が設けられており、固定具３０をネジで壁面１２又は１４に固定できるようになっている。なお、ネジ以外の他の手段で固定具３０を取り付けることも勿論可能である。
【００１０】
一方、固定板３４には、キャビネット１０の突起部２２の頭部３８が通る大きさの大径孔４４と、この大径孔４４に対して上下対称に突起部２２の胴部４０が通りかつ頭部３８が抜けない幅のスリット孔４６とを有する貫通孔４２が、上下にそれぞれ１個ずつ設けられている。また、固定板３４の１箇所を支点として回動可能なストッパー４８が設けられており、このストッパー４８には、キャビネット１０を天井面１６に接する高さまで持ち上げて固定する位置に合わせて前記突起部２２の胴部４０を係止するための切欠部５０と、キャビネット１０を持ち上げた距離と同じ長さだけ逆にキャビネット１０を下ろした上下対称な位置に他の切欠部５２とが上下にそれぞれ１組ずつ設けられている。５４は摘み部、５５は支点軸である。なお、図１では、図２に示すキャビネット１０の突起部２２の数が２個であるので、貫通孔４２を２個設け、ストッパー４８の切欠部５０、５２を２組設けているが、キャビネットの突起部の数を増減させた場合等に、貫通孔を１個又は３個以上設け、それに合わせて切欠部を１組又は３組以上設けた構成とすることも勿論可能である。
【００１１】
つぎに、図１〜図４を参照しながら、本発明の第１の実施の形態によるキャビネット固定具の取付手順について説明する。
まず、固定具３０における取付板３２を壁面１２にネジで固定する。このとき、固定板３４のストッパー４８は、図１のように解除状態にしておく。そして、スピーカキャビネット等のキャビネット１０の背面に設けられた突起部２２の頭部３８を、貫通孔４２の大径孔４４に通してから、キャビネット１０を上方に持ち上げる。ここで、ストッパー４８の下側の摘み部５４に指をかけてストッパー４８を回転させ、ストッパー４８の切欠部５０が突起部２２の胴部４０に引っかかるような状態にする。ストッパー４８で突起部２２を係止させることで、図３に示すように、キャビネット１０を天井面１６にぴったりとくっつけて固定することができる。図４は、ストッパー４８で突起部２２を係止させた状態を天井側から見た図である。
【００１２】
なお、図１及び図４において、固定具３０の左側（壁面１２側）のみに取付板３２が設けられており、ネジ挿通孔３６が左側にしか空けられていないのは、片側で固定具３０を固定すれば、十分にキャビネット１０の重量に耐えられるからである。また、左右の壁面の材質が異なる場合などは、固定具３０を上下逆にすることにより、取付板３２を反対側の壁面１４に固定することができるので、固定具３０を取り付けるのに有利な条件となるように、取付板３２を固定する側の壁面を選ぶことができる。そして、固定具３０を上下逆にして取り付ける場合にも対応できるように、固定板３４の貫通孔４２は、上下対称な形状になっており、ストッパー４８の形状もそれに合わせて、切欠部５０と切欠部５２とが対になって設けられている。なお、固定具３０の右側（壁面１４側）は、取付板３２より面積の小さい板状構造になっている。
【００１３】
図１に示すキャビネット固定具において、ストッパー４８は、図１、図３及び図４に示すように、固定板３４の内側、すなわちキャビネット１０の背面と接する側に設けてもよいし、図５に示すように、固定板３４の外側、すなわち壁面１２、１４側に設けてもよいが、固定板３４の内側に設けるのがより好ましい。ストッパー４８が固定板３４の外側に設けられている場合は、例えば、ストッパー４８が反って固定板３４から浮き上がっている状態では、図６のようにストッパー４８の端面が突起部２２の頭部３８に当たってしまい、係止状態にできないことがあり得る。これに対して、ストッパー４８が固定板３４の内側に設けられている場合は、たとえストッパー４８が反って固定板３４から浮き上がっていても、図７のようにストッパー４８をキャビネット１０の背面で押さえつけることにより矯正することができる。
【００１４】
また、図２に示すキャビネットにおいて、図８に示すように、キャビネット１０背面の突起部２２の胴部４０に台座５６を設けることもできる。突起部２２に台座５６を設けた場合は、図１に示すキャビネット固定具において、ストッパー４８が反って固定板３４から浮き上がっていても、ストッパー４８をキャビネット１０の背面から台座５６で押さえつけることができる。この場合、反って浮き上がったストッパー４８を押さえつけることができるようにするために、ストッパー４８の解除状態において、図９に示すように、ストッパー４８の側端部５７が台座５６からはみ出すことのないようにするのが望ましい。すなわち、ストッパー４８の側端部５７と台座５６とが当接するようにすることが望ましい。
【００１５】
図１０は、本発明の第２の実施の形態によるキャビネット固定具を示している。図１０において、固定具３０は取付板３２と固定板３４とからなっており、取付板３２にはネジ挿通孔３６が設けられている。固定板３４には、大径孔４４とその上部にスリット孔４６とを有する貫通孔４２が２個設けられている。また、固定板３４の１箇所を支点として回動可能なストッパー４８が設けられており、このストッパー４８には切欠部５８が２つ設けられている。その他の点は、本発明の第１の実施の形態によるキャビネット固定具の場合と同様である。
【００１６】
図１１は、本発明の第３の実施の形態によるキャビネット固定具を示している。図１１において、固定具３０は取付板３２と固定板３４とからなっており、取付板３２にはネジ挿通孔３６が設けられている。固定板３４には、大径孔４４とその上部にスリット孔４６とを有する貫通孔４２が１個設けられている。また、固定板３４の１箇所を支点として回動可能なストッパー４８が設けられており、このストッパー４８には切欠部６０が１つ設けられている。その他の点は、本発明の第１の実施の形態によるキャビネット固定具の場合と同様である。
【００１７】
【発明の効果】
本発明は上記のように構成されているので、つぎのような効果を奏する。
（１）  ストッパーでキャビネットの突起部を係止させることにより、キャビネットを天井面及び壁面にぴったりとくっつけて固定することができる。
（２）  取付板は少なくとも片側に設けられており、貫通孔及びストッパーの形状は上下対称であるので、キャビネット固定具を上下逆にして使用することができ、固定具を取り付けるのに有利な条件を選ぶことができる。
（３）  ストッパーをキャビネットの背面と接する側、すなわち固定板の内側に設けた場合は、ストッパーが反って固定板から浮き上がっていても、ストッパーをキャビネットの背面で押さえつけることにより矯正することができる。
（４）  キャビネット背面の突起部の胴部に台座を設けた場合は、ストッパーが反って固定板から浮き上がっていても、ストッパーをキャビネットの背面から台座で押さえつけることができる。
（５）  キャビネットを天井面及び壁面にぴったりとくっつけて固定することができるので、外観上非常に好ましく、かつ、キャビネットの上面に埃等がたまり難い。
【図面の簡単な説明】
【図１】本発明の第１の実施の形態によるキャビネット固定具を示す斜視図である。
【図２】本発明を実施する際に用いるキャビネットの一例を示す斜視図である。
【図３】本発明の第１の実施の形態におけるキャビネット固定具の取付状態を示す側断面図である。
【図４】本発明の第１の実施の形態におけるキャビネット固定具の取付状態を天井側から見た平面図である。
【図５】本発明の第１の実施の形態によるキャビネット固定具において、ストッパーを固定板の外側に設けた場合を示す平面図である。
【図６】図５に示すキャビネット固定具の取付状態を天井側から見た平面図である。
【図７】本発明の第１の実施の形態によるキャビネット固定具において、ストッパーを固定板の内側に設けた場合の固定具の取付状態を天井側から見た平面図である。
【図８】本発明を実施する際に用いるキャビネットの他の例を示す斜視図である。
【図９】本発明の第１の実施の形態によるキャビネット固定具において、図８に示すキャビネットを用いた場合の固定具の取付状態を天井側から見た平面図である。
【図１０】本発明の第２の実施の形態によるキャビネット固定具を示す斜視図である。
【図１１】本発明の第３の実施の形態によるキャビネット固定具を示す斜視図である。
【図１２】互いに接する２つの壁面と天井面とのコーナー部分にキャビネットを固定した状態を示す概略図である。
【図１３】図１２において固定されているキャビネットの形状を示す斜視図である。
【図１４】従来のキャビネット固定具の一例を示す斜視図である。
【図１５】従来の固定方法を実施する際に用いるキャビネットの一例を示す斜視図である（説明を容易にするために、図２と同じ形状のものを示す）。
【図１６】従来のキャビネット固定具の取付状態を示す側断面図である。
【符号の説明】
１０  キャビネット
１２、１４  壁面
１６  天井面
１８  金具
２０、４２  貫通孔
２２    突起部
２４、３２  取付板
２６、３４  固定板
２８  ネジ
３０  固定具
３６  ネジ挿通孔
３８  突起部の頭部
４０  突起部の胴部
４４  大径孔
４６  スリット孔
４８  ストッパー
５０、５２、５８、６０  切欠部
５４  摘み部
５５  支点軸
５６  台座
５７  ストッパーの側端部
Ｌ    落下長さ
【図１】
0003602257.tif 000002
【図２】
0003602257.tif 000003
【図３】
0003602257.tif 000004
【図４】
0003602257.tif 000005
【図５】
0003602257.tif 000006
【図６】
0003602257.tif 000007
【図７】
0003602257.tif 000008
【図８】
0003602257.tif 000009
【図９】
0003602257.tif 000010
【図１０】
0003602257.tif 000011
【図１１】
0003602257.tif 000012
【図１２】
0003602257.tif 000013
【図１３】
0003602257.tif 000014
【図１４】
0003602257.tif 000015
【図１５】
0003602257.tif 000016
【図１６】
0003602257.tif 000017